(57)【要約】【課題】アンケート回収時間の短縮、広告費用縮小、アンケート費用縮小、抽選くじ費用縮小、広告効果の即時把握、消費者の直接的な反応の把握、即時に消費者の直接的反応の把握ができる広告及びアンケート及び抽選くじの方法を提供する。【解決手段】コンピュータネットワークシステムにより広告及びアンケート及び抽選くじを連動させて効率的に実施することができる抽選くじ付アンケート提供方法。【特許請求の範囲】
【請求項１】
広告提供者が広告提供者コンピュータからサーバコンピュータに予め登録した広告情報及びアンケート回答登録情報及びアンケート回答者電子メールアドレス登録情報をサーバコンピュータにアクセスしたアンケート回答者のアンケート回答者コンピュータに表示するアンケート表示手段と、アンケート回答者がアンケート表示手段によりアンケート回答者コンピュータからサーバコンピュータに広告情報及びアンケート回答情報及びアンケート回答者電子メールアドレス情報を登録するアンケート回答手段と、サーバコンピュータがアンケート回答手段により登録されたアンケート回答情報に対し自動的に抽選くじ識別記号を発行しサーバコンピュータに登録する抽選くじ識別記号登録手段と、サーバコンピュータがアンケート回答手段により登録されたアンケート回答者電子メールアドレスに対し抽選くじ識別記号を記入した電子メールを自動的に送信する抽選くじ識別記号発行手段とを具備することを特徴とする抽選くじ付アンケート提供システム。
【請求項２】
請求項１に記載の抽選くじ付アンケート提供システムにおいて、広告提供者が広告提供者コンピュータからサーバコンピュータに予め登録した広告開始時間から広告終了時間の間のみサーバコンピュータにアクセスしたアンケート回答者のアンケート回答者コンピュータにアンケート表示手段による情報を表示する手段を具備することを特徴とする抽選くじ付アンケート提供システム。
【請求項３】
請求項１または２に記載の抽選くじ付アンケート提供システムにおいて、広告提供者が固有の広告提供者識別記号により広告提供者コンピュータからサーバコンピュータにアクセスし登録された抽選くじ付アンケート回答情報及びアンケート回答者属性情報を表示する手段を具備することを特徴とする抽選くじ付アンケート提供システム。
【発明の詳細な説明】
【０００１】
【発明の属する技術分野】本発明は、抽選くじ付アンケート提供方法に関するものである。
【０００２】
【従来の技術】テレビ、ラジオ、新聞、雑誌、ポスター、ＤＭ、その他印刷物を用いた広告方法は広く知られている。さらに近年普及してきたインターネットによりホームページ、電子メールによる広告方法も広く知られている。またアンケート方法においては、電話による実施、印刷物の郵送と返送による実施、ホームページによる実施、電子メールの送信と返信による実施、直接対面による実施による方法が広く知られている。かかる広告及びアンケートを実施する広告提供者が最重要視している課題として、広告情報提供までの時間の短縮、アンケート情報回収までの時間の短縮、高額な広告費用の縮小、高額なアンケート調査費用の縮小、広告効果の把握、消費者の直接的な反応の把握、が挙げられる。また、抽選くじは広告効果が高いことが知られているが、高額な費用、多数の担当者が必要であり、費用の圧縮、効率的な実施が課題となっている。
【０００３】
【発明が解決しようとする課題】かかる広告提供者が、高額な費用と多大な時間を費やして広告とアンケート調査を実施しても、多大な時間がかかることによって情報としての新規性が失われてしまい、広告効果の把握、消費者の直接的な反応の把握はできないという課題があった。さらに高額な費用により小規模事業者は広告やアンケート調査の実施が困難であるという過大があった。広告とアンケートと抽選くじを統合し即時に低額に全国規模でも地域限定でも任意に実施でき、さらにアンケート回答者の反応を即時に確認できる方法が求められている。
【０００４】
【課題を解決するための手段】そこで、本発明では、請求項１においては、広告提供者が広告提供者コンピュータからサーバコンピュータに予め登録した広告情報及びアンケート回答登録情報及びアンケート回答者電子メールアドレス登録情報をサーバコンピュータにアクセスしたアンケート回答者のアンケート回答者コンピュータに表示するアンケート表示手段と、アンケート回答者がアンケート表示手段によりアンケート回答者コンピュータからサーバコンピュータに広告情報及びアンケート回答情報及びアンケート回答者電子メールアドレス情報を登録するアンケート回答手段と、サーバコンピュータがアンケート回答手段により登録されたアンケート回答情報に対し自動的に抽選くじ識別記号を発行しサーバコンピュータに登録する抽選くじ識別記号登録手段と、サーバコンピュータがアンケート回答手段により登録されたアンケート回答者電子メールアドレスに対し抽選くじ識別記号を記入した電子メールを自動的に送信する抽選くじ識別記号発行手段とを具備することを特徴とする抽選くじ付アンケート提供方法である。
【０００５】また、請求項２においては、請求項１に記載の抽選くじ付アンケート提供システムにおいて、広告提供者が広告提供者コンピュータからサーバコンピュータに予め登録した広告開始時間から広告終了時間の間のみサーバコンピュータにアクセスしたアンケート回答者のアンケート回答者コンピュータにアンケート表示手段による情報を表示する手段を具備することを特徴とする抽選くじ付アンケート提供方法である。
【０００６】また、請求項３においては、請求項１または２に記載の抽選くじ付アンケート提供システムにおいて、広告提供者が固有の広告提供者識別記号により広告提供者コンピュータからサーバコンピュータにアクセスし登録された抽選くじ付アンケート回答情報及びアンケート回答者属性情報を表示する手段を具備することを特徴とする抽選くじ付アンケート提供方法である。
【０００７】
【発明の実施の形態】本発明は、以下のようにして抽選くじ付アンケートを提供するようにしたものである。
【０００８】請求項１によると、本システムは、抽選くじ付アンケートの提供を行う広告提供者が広告提供者コンピュータからサーバコンピュータに広告情報及びアンケート回答登録情報及びアンケート回答者電子メールアドレス登録情報を予め登録しておき、抽選くじ付アンケートの回答者であるアンケート回答者がアンケート回答者コンピュータからサーバコンピュータにアクセスしたとき、アンケート回答者コンピュータに広告情報及びアンケート回答登録情報及びアンケート回答者電子メールアドレス登録情報を自動的に表示する。（アンケート表示手段）次に、アンケート回答者がアンケート回答者コンピュータより広告情報及びアンケート回答情報及びアンケート回答者電子メールアドレスをサーバコンピュータに登録する。（アンケート回答手段）次に、サーバコンピュータが登録されたアンケート回答情報に対し自動的に抽選くじ識別記号を発行しサーバコンピュータに登録する。（抽選くじ識別記号登録手段）次に、サーバコンピュータがアンケート回答手段により登録されたアンケート回答者電子メールアドレスに対し抽選くじ識別記号を記入した電子メールを自動的に送信する。（抽選くじ識別記号発行手段）
【０００９】請求項２によると、本システムは、広告提供者が広告提供者コンピュータからサーバコンピュータに広告開始時間及び広告終了時間を予め登録する。
次に、アンケート回答者がアンケート回答者コンピュータからサーバコンピュータにアクセスし、広告提供者の抽選くじ付アンケートの提供を受けるためのホームページアドレスの情報の表示を求めたとき、サーバコンピュータは表示を求められたときの時間が広告開始時間から広告終了時間の間である場合のみ、広告情報及びアンケート回答登録情報及びアンケート回答者電子メールアドレス登録情報を表示する。
【００１０】請求項３によると、本システムは、広告提供者が予め発行を受けた広告提供者識別記号を広告提供者コンピュータからサーバコンピュータに送信し、サーバコンピュータの認証を受けた場合のみ、サーバコンピュータから広告提供者コンピュータにサーバコンピュータに登録された抽選くじ付アンケート回答情報及びアンケート回答者属性情報を表示する。
【００１１】本システムは、広告提供者のホームページより利用してもよい。
【００１２】
【発明の効果】
【００１３】本発明は、以上に説明したような形態で実施され、以下に記載されるような効果を奏する。
【００１４】すなわち、本発明では、広告提供者にとっては、アンケート実施からアンケート情報回収までの時間の短縮効果、インターネットコンピュータシステムによる作業行程の自動化による広告費用の縮小効果、アンケート費用の縮小効果、広告効果の即時把握効果、消費者の直接的な反応の把握効果、抽選くじの費用の縮小効果、抽選くじの効率的な実施効果がある。また、即時に消費者の直接的な反応が把握できるため、これに応じて即時に広告活動、営業活動、商品発注、製品生産、商品開発などの活動に反映できる効果がある。また、インターネットコンピュータシステムによる作業行程の自動化による抽選くじ付アンケート提供システムは、従来の方法に比べ格安の料金による実施ができるため、小規模事業者が抽選くじ付アンケートを実施できる効果がある。
【００１５】また、アンケート回答者にとっては、時間及び場所の制限なく即時に抽選くじを取得できアンケートに回答できる効果がある。